(57)【要約】【課題】  上級者向け及び初級者向けに、機能の設定が変更可能なカメラにおいて、初級者及び上級者のいずれもが使いやすいカメラを提供することである。【解決手段】  モード切替部１６は、第１及び第２動作モードをユーザの操作に応じて切り替える。設定値変更部１６は、第１及び第２動作モード中に、変更可能な設定値をユーザの操作に応じて変更する。設定値復帰部１６は、動作モードが第１動作モードから第２動作モードに切り替えられた時に、第２グループの内蔵機能の設定値の一部のみを予め決められたデフォルト値に設定する。【選択図】      図１
2006171107.tif 000002
【特許請求の範囲】
【請求項１】
複数の内蔵機能毎に設定値を変更可能な第１動作モードと、前記複数の内蔵機能の一部である第１グループに対して設定値を変更可能で、第１グループを除く内蔵機能である第２グループの設定値の変更を禁止する第２動作モードとを、ユーザの操作に応じて切り替えるモード切替部と、
前記第１及び第２動作モード中に、変更可能な設定値をユーザの操作に応じて変更するための設定値変更部と、
動作モードが前記第１動作モードから前記第２動作モードに切り替えられた時に、前記第２グループの内蔵機能の設定値の一部のみを予め決められたデフォルト値に設定する設定値復帰部とを備えることを特徴とするカメラ。
【請求項２】
請求項１記載のカメラにおいて、
前記第２グループの内蔵機能の設定値の前記一部を含む複数の内蔵機能の設定値を記憶する第１の設定値記憶部を備え、
前記設定値復帰部は、動作モードが前記第２動作モードから前記１動作モードに切り替えられた時に、前記第２グループの内蔵機能の設定値の前記一部を前記第１の設定値記憶部に記憶された設定値に設定することを特徴とするカメラ。
【請求項３】
請求項１記載のカメラにおいて、
動作モードが前記第１動作モードから前記第２動作モードに切り替えられた時に、前記第２グループの内蔵機能の設定値の前記一部をデフォルト値に設定するか、あるいは、前記第２グループの内蔵機能の設定値の全てをデフォルト値に設定するかをユーザの操作に応じて選択する復帰条件選択部を備え、
前記設定値復帰部は、動作モードが前記第１動作モードから前記第２動作モードに切り替えられた時に、
前記復帰条件選択部により「第２グループの内蔵機能の設定値の一部をデフォルト値に設定」が選択されている場合に、前記第２グループの内蔵機能の前記一部をデフォルト値に設定し、
前記復帰条件選択部により「第２グループの内蔵機能の設定値の全てをデフォルト値に設定」が選択されている場合に、前記第２グループの内蔵機能の全てをデフォルト値に設定することを特徴とするカメラ。
【請求項４】
請求項３記載のカメラにおいて、
前記第２グループの内蔵機能の設定値の全てを記憶する第２の設定値記憶部を備え、
前記設定値復帰部は、動作モードが前記第２動作モードから前記第１動作モードに切り替えられた時に、
前記復帰条件選択部により「第２グループの内蔵機能の設定値の一部をデフォルト値に設定」が選択されている場合に、前記第２グループの内蔵機能の設定値の前記一部を前記第２の設定値記憶部に記憶された設定値に設定し、
前記復帰条件選択部により「第２グループの内蔵機能の設定値の全てをデフォルト値に設定」が選択されている場合に、前記第２グループの内蔵機能の設定値の全てを前記第２の設定値記憶部に記憶された設定値に設定することを特徴とするカメラ。
【請求項５】
請求項３記載のカメラにおいて、
前記復帰条件選択部は、第１及び第２グループの内蔵機能の設定値をデフォルト値に設定するという選択肢を更に備え、
前記設定値復帰部は、前記復帰条件選択部により「第１及び第２グループの内蔵機能の設定値をデフォルト値に設定」が選択されている場合に、動作モードが前記第１動作モードから前記第２動作モードに切り替えられた時に、前記第１及び第２グループの内蔵機能の設定値をデフォルト値に設定することを特徴とするカメラ。
【請求項６】
請求項５記載のカメラにおいて、
前記第１及び第２グループの内蔵機能の設定値を記憶する第３の設定値記憶部を備え、
前記設定値復帰部は、動作モードが前記第２動作モードから前記第１動作モードに切り替えられた時に、
前記復帰条件選択部により「第２グループの内蔵機能の設定値の一部をデフォルト値に設定」が選択されている場合に、前記第２グループの内蔵機能の設定値の前記一部を前記第３の設定値記憶部に記憶された設定値に設定し、
前記復帰条件選択部により「第２グループの内蔵機能の設定値の全てをデフォルト値に設定」が選択されている場合に、前記第２グループの内蔵機能の設定値の全てを前記第３の設定値記憶部に記憶された設定値に設定し、
前記復帰条件選択部により「第１及び第２グループの内蔵機能の設定値をデフォルト値に設定」が選択されている場合に、前記第１及び第２グループの内蔵機能の設定値を前記第３の設定値記憶部に記憶された設定値に設定することを特徴とするカメラ。
【請求項７】
複数の内蔵機能毎に設定値を変更可能な第１動作モードと、前記複数の内蔵機能の一部である第１グループに対して設定値を変更可能で、第１グループを除く内蔵機能である第２グループの設定値の変更を禁止する第２動作モードとを、ユーザの操作に応じて切り替えるモード切替部と、
前記第１及び第２動作モード中に、変更可能な設定値をユーザの操作に応じて変更するための設定値変更部と、
動作モードが前記第１動作モードから前記第２動作モードに切り替えられた時に、前記第２グループの内蔵機能の設定値の少なくとも一部を所定値に設定する設定値復帰部と、
動作モードが前記第１動作モードから前記第２動作モードに切り替えられた時に、前記第２グループの内蔵機能の設定値の一部をデフォルト値に設定するか、前記第２グループの内蔵機能の設定値の全てをデフォルト値に設定するか、あるいは、前記第２グループの内蔵機能の設定値の全てを維持するかをユーザの操作に応じて選択する復帰条件選択部とを備え、
前記設定値復帰部は、動作モードが前記第１動作モードから前記第２動作モードに切り替えられた時に、
前記復帰条件選択部により「第２グループの内蔵機能の設定値の一部をデフォルト値に設定」が選択されている場合に、前記第２グループの内蔵機能の設定値の前記一部をデフォルト値に設定し、
前記復帰条件選択部により「第２グループの内蔵機能の設定値の全てをデフォルト値に設定」が選択されている場合に、前記第２グループの内蔵機能の全てをデフォルト値に設定し、
前記復帰条件選択部により「第２グループの内蔵機能の設定値の全てを維持」が選択されている場合に、前記第２グループの内蔵機能の設定値の全てをデフォルト値に変更することなく維持することを特徴とするカメラ。
を備えることを特徴とするカメラ。
【請求項８】
請求項７記載のカメラにおいて、
前記復帰条件選択部は、第１及び第２グループの内蔵機能の設定値を維持するという選択肢を更に備え、
前記設定値復帰部は、前記復帰条件選択部により「第１及び第２グループの内蔵機能の設定値を維持」が選択されている場合に、動作モードが前記第１動作モードから前記第２動作モードに切り替えられた時に、前記第１及び第２グループの内蔵機能の設定値をデフォルト値に変更することなく維持することを特徴とするカメラ。
【発明の詳細な説明】
【技術分野】
【０００１】
本発明は、カメラの各種機能の設定を行うためのカメラに関する。
【背景技術】
【０００２】
内蔵機能の設定を変更可能な装置として、例えば、被写体を撮影するカメラ、あるいは、データの送受信等の動作を行うファクシミリ装置等がある。この種のカメラ及びファクシミリ装置は、ユーザにより操作される各種キー、液晶画面等を有している。例えば、ファクシミリ装置では、ユーザは、ファクシミリ装置の基本的な機能の設定のみ変更可能な簡単メニュー（初心者向け）、全機能の設定を変更可能な通常メニュー（上級者向け）のいずれかを選択できる（例えば、特許文献１）。
【特許文献１】特開２００３−５１９０３号公報
【発明の開示】
【発明が解決しようとする課題】
【０００３】
しかしながら、上述したファクシミリ装置では、メニューが通常メニューから簡単メニューに切り替えられる場合（上級者に代わり初級者がファクシミリ装置を使用する場合）、初級者は、上級者だけが設定を変更できる機能（全機能から、基本的な機能を除く機能）を全く使用できない。この結果、ファクシミリ装置は初級者の意図しない動作を引き起こしてしまう場合があり、初級者は、戸惑ったり、不便を感じるという問題があった。この種の問題は、カメラでも起こりうる。
【０００４】
本発明の目的は、上級者向け及び初級者向けに、機能の設定が変更可能なカメラにおいて、初級者及び上級者のいずれもが使いやすいカメラを提供することである。
【課題を解決するための手段】
【０００５】
請求項１のカメラでは、モード切替部は、複数の内蔵機能毎に設定値を変更可能な第１動作モードと、複数の内蔵機能の一部である第１グループに対して設定値を変更可能で、第１グループを除く内蔵機能である第２グループの設定値の変更を禁止する第２動作モードとをユーザの操作に応じて切り替え、設定値変更部は、第１及び第２動作モード中に、変更可能な設定値をユーザの操作に応じて変更し、設定値復帰部は、動作モードが第１動作モードから第２動作モードに切り替えられた時に、第２グループの内蔵機能の設定値の一部のみを予め決められたデフォルト値に設定する。
【０００６】
請求項２のカメラでは、第１の設定値記憶部は、第２グループの内蔵機能の設定値の一部を含む複数の内蔵機能を記憶し、設定値復帰部は、動作モードが第２動作モードから１動作モードに切り替えられた時に、第２グループの内蔵機能の設定値の一部を第１の設定値記憶部に記憶された設定値に設定する。
請求項３のカメラでは、復帰条件選択部は、動作モードが第１動作モードから第２動作モードに切り替えられた時に、第２グループの内蔵機能の設定値の一部をデフォルト値に設定するか、あるいは、前記第２グループの内蔵機能の設定値の全てをデフォルト値に設定するかをユーザの操作に応じて選択し、設定値復帰部は、動作モードが第１動作モードから第２動作モードに切り替えられた時に、復帰条件選択部により「第２グループの内蔵機能の設定値の一部をデフォルト値に設定」が選択されている場合に、第２グループの内蔵機能の一部をデフォルト値に設定し、復帰条件選択部により「第２グループの内蔵機能の設定値の全てをデフォルト値に設定」が選択されている場合に、第２グループの内蔵機能の全てをデフォルト値に設定する。
【０００７】
請求項４のカメラでは、第２の設定値記憶部は、第２グループの内蔵機能の設定値の全てを記憶し、設定値復帰部は、動作モードが第２動作モードから第１動作モードに切り替えられた時に、復帰条件選択部により「第２グループの内蔵機能の設定値の一部をデフォルト値に設定」が選択されている場合に、第２グループの内蔵機能の設定値の一部を第２の設定値記憶部に記憶された設定値に設定し、復帰条件選択部により「第２グループの内蔵機能の設定値の全てをデフォルト値に設定」が選択されている場合に、第２グループの内蔵機能の設定値の全てを第２の設定値記憶部に記憶された設定値に設定する。
【０００８】
請求項５のカメラでは、復帰条件選択部は、第１及び第２グループの内蔵機能の設定値をデフォルト値に設定するという選択肢を更に備え、設定値復帰部は、復帰条件選択部により「第１及び第２グループの内蔵機能の設定値をデフォルト値に設定」が選択されている場合に、動作モードが第１動作モードから第２動作モードに切り替えられた時に、第１及び第２グループの内蔵機能の設定値をデフォルト値に設定する。
【０００９】
請求項６のカメラでは、第３の設定値記憶部は、第１及び第２グループの内蔵機能の設定値を記憶し、設定値復帰部は、動作モードが第２動作モードから第１動作モードに切り替えられた時に、復帰条件選択部により「第２グループの内蔵機能の設定値の一部をデフォルト値に設定」が選択されている場合に、第２グループの内蔵機能の設定値の一部を第３の設定値記憶部に記憶された設定値に設定し、復帰条件選択部により「第２グループの内蔵機能の設定値の全てをデフォルト値に設定」が選択されている場合に、第２グループの内蔵機能の設定値の全てを第３の設定値記憶部に記憶された設定値に設定し、復帰条件選択部により「第１及び第２グループの内蔵機能の設定値をデフォルト値に設定」が選択されている場合に、第１及び第２グループの内蔵機能の設定値を第３の設定値記憶部に記憶された設定値に設定する。
【００１０】
請求項７のカメラでは、モード切替部は、複数の内蔵機能毎に設定値を変更可能な第１動作モードと、複数の内蔵機能の一部である第１グループに対して設定値を変更可能で、第１グループを除く内蔵機能である第２グループの設定値の変更を禁止する第２動作モードとを、ユーザの操作に応じて切り替え、設定値変更部は、第１及び第２動作モード中に、変更可能な設定値をユーザの操作に応じて変更し、設定値復帰部は、動作モードが第１動作モードから第２動作モードに切り替えられた時に、第２グループの内蔵機能の設定値の少なくとも一部を所定値に設定し、復帰条件選択部は、動作モードが第１動作モードから第２動作モードに切り替えられた時に、第２グループの内蔵機能の設定値の一部をデフォルト値に設定するか、第２グループの内蔵機能の設定値の全てをデフォルト値に設定するか、あるいは、第２グループの内蔵機能の設定値の全てを維持するかをユーザの操作に応じて選択し、設定値復帰部は、動作モードが第１動作モードから第２動作モードに切り替えられた時に、復帰条件選択部により「第２グループの内蔵機能の設定値の一部をデフォルト値に設定」が選択されている場合に、第２グループの内蔵機能の設定値の一部をデフォルト値に設定し、復帰条件選択部により「第２グループの内蔵機能の設定値の全てをデフォルト値に設定」が選択されている場合に、第２グループの内蔵機能の全てをデフォルト値に設定し、復帰条件選択部により「第２グループの内蔵機能の設定値の全てを維持」が選択されている場合に、第２グループの内蔵機能の設定値の全てをデフォルト値に変更することなく維持する。
【００１１】
請求項８のカメラでは、復帰条件選択部は、第１及び第２グループの内蔵機能の設定値を維持するという選択肢を更に備え、設定値復帰部は、復帰条件選択部により「第１及び第２グループの内蔵機能の設定値を維持」が選択されている場合に、動作モードが第１動作モードから第２動作モードに切り替えられた時に、第１及び第２グループの内蔵機能の設定値をデフォルト値に変更することなく維持する。
【発明の効果】
【００１２】
請求項１のカメラでは、例えば、カメラの扱いに慣れた上級者は、第１動作モードでカメラを使用する。カメラの扱いに不慣れな初級者は、第２動作モードでカメラを使用する。第１動作モードでのみ変更可能な第２グループの内蔵機能の一部の設定値は、動作モードが第１動作モードから第２動作モードに切り替えられた時に、デフォルト値に復帰される。したがって、初級者にとって馴染みのない内蔵機能の設定値は、最も一般的な値であるデフォルト値に設定される。この結果、初級者は、無理なくカメラを使用できる。よって、初級者にとって使いやすいカメラが実現される。
【００１３】
請求項２のカメラでは、動作モードが、第１動作モードから第２動作モードに切り替えられた後に、第１動作モードに再び切り替えられると、第２グループの内蔵機能の設定値の一部は、元の設定値に復帰される。この結果、例えば、動作モードが一時的に第１モードから第２動作モードに切り替えられていた場合に、再び第１動作モードを使用するユーザ（例えば、上級者）は、第２グループの内蔵機能の設定値の一部を再設定する必要がない。したがって、ユーザは、動作モードを切り替えた後、すぐに元の撮影条件で被写体を撮影できる。
【００１４】
請求項３のカメラでは、復帰条件選択部は、動作モードが第１動作モードから第２動作モードに切り替えられた時に、「第２グループの内蔵機能の設定値の一部をデフォルト値に設定」するか、あるいは、「第２グループの内蔵機能の設定値の全てをデフォルト値に設定」するかを、ユーザによる操作に応じて選択する。この結果、カメラを第２動作モードで使用するユーザに合わせて、内蔵機能の設定値の復帰条件を選択できる。よって、ユーザの趣向に合った、使い勝手の良いカメラが実現される。
【００１５】
請求項４のカメラでは、第２の設定値記憶部は、第２グループの内蔵機能の設定値の全てを記憶する。復帰条件選択部により「第２グループの内蔵機能の設定値の一部をデフォルト値に設定」が選択されている場合、第２グループの内蔵機能の設定値の一部は、動作モードが第２動作モードから第１動作モードに切り替えられた時に、第２の設定値記憶部に記憶された設定値に設定される。また、復帰条件選択部により「第２グループの内蔵機能の設定値の全てをデフォルト値に設定」が選択されている場合、第２グループの内蔵機能の設定値の全ては、動作モードが第２動作モードから第１動作モードに切り替えられた時に、第２の設定値記憶部に記憶された設定値に設定される。このため、例えば、動作モードが一時的に第１動作モードから第２動作モードに切り替えられていた場合に、再び第１動作モードを使用するユーザ（例えば、上級者）は、第２グループの内蔵機能の設定値の一部、あるいは、第２グループの内蔵機能の設定値の全てを再設定する必要がない。したがって、ユーザは、動作モードを切り替えた後、すぐに元の撮影条件で被写体を撮影できる。
【００１６】
請求項５のカメラでは、復帰条件選択部は、動作モードが第１動作モードから第２動作モードに切り替えられた時に、「第２グループの内蔵機能の設定値の一部をデフォルト値に設定」するか、「第２グループの内蔵機能の設定値の全てをデフォルト値に設定」するか、あるいは、「第１及び第２グループの内蔵機能の設定値をデフォルト値に設定」するかを、ユーザによる操作に応じて選択する。よって、復帰条件選択部により選択される選択肢を更に増やすことで、ユーザの様々な要求に応えるカメラが実現される。
【００１７】
請求項６のカメラでは、第３の設定値記憶部は、第１及び第２グループの内蔵機能の設定値を記憶する。復帰条件選択部により「第２グループの内蔵機能の設定値の一部をデフォルト値に設定」が選択されている場合、第２グループの内蔵機能の設定値の一部は、動作モードが第２動作モードから第１動作モードに切り替えられた時に、第３の設定値記憶部に記憶された設定値に設定される。また、復帰条件選択部により「第２グループの内蔵機能の設定値の全てをデフォルト値に設定」が選択されている場合、第２グループの内蔵機能の設定値の全ては、動作モードが第２動作モードから第１動作モードに切り替えられた時に、第３の設定値記憶部に記憶された設定値に設定される。また、復帰条件選択部により「第１及び第２グループの内蔵機能の設定値をデフォルト値に設定」が選択されている場合、第１及び第２グループの内蔵機能の設定値は、動作モードが第２動作モードから第１動作モードに切り替えられた時に、第３の設定値記憶部に記憶された設定値に設定される。この結果、例えば、動作モードが一時的に第１動作モードから第２動作モードに切り替えられていた場合に、再び第１動作モードを使用するユーザ（例えば、上級者）は、第２グループの内蔵機能の設定値の一部、第２グループの内蔵機能の設定値の全て、あるいは、第１及び第２グループの内蔵機能の設定値を再設定する必要がない。したがって、ユーザは、動作モードを切り替えた後、すぐに元の撮影条件で被写体を撮影できる。
【００１８】
請求項７のカメラでは、復帰条件選択部は、動作モードが第１動作モードから第２動作モードに切り替えられた時に、「第２グループの内蔵機能の設定値の一部をデフォルト値に設定」するか、「第２グループの内蔵機能の設定値の全てをデフォルト値に設定」するか、あるいは、「第２グループの内蔵機能の設定値の全てを維持」するかを、ユーザの操作に応じて選択する。この結果、カメラを第２動作モードで使用するユーザに合わせて、内蔵機能の設定値の復帰条件を選択できる。よって、ユーザの趣向に合った、使い勝手の良いカメラが実現される。
【００１９】
請求項８のカメラでは、復帰条件選択部は、動作モードが第１動作モードから第２動作モードに切り替えられた時に、「第２グループの内蔵機能の設定値の一部をデフォルト値に設定」するか、「第２グループの内蔵機能の設定値の全てをデフォルト値に設定」するか、「第２グループの内蔵機能の設定値の全てを維持」するか、あるいは、「第１及び第２グループの内蔵機能の設定値を維持」するかをユーザの操作に応じて選択する。このため、復帰条件選択部により選択される選択肢を更に増やすことで、ユーザの様々な要求に応えるカメラが実現される。
【発明を実施するための最良の形態】
【００２０】
以下、本発明の実施形態を図面を用いて説明する。
図１は、本発明のカメラの実施形態を示している。カメラ１は、デジタルカメラとして構成されている。カメラ１の上面には、スイッチＳＷ１及びＳＷ２が配置されている。カメラ１の背面には、液晶モニターＬＣＤ、スイッチＳＷ３〜ＳＷ１０が配置されている。スイッチＳＷ１〜ＳＷ１０の操作は、後述するマイクロコンピューターにより認識される。
【００２１】
主電源スイッチＳＷ１は、カメラ１の電源をオン又はオフする。シャッタースイッチＳＷ２は、被写体を撮影する時に押下げられる。モード選択スイッチＳＷ３は、液晶モニターＬＣＤに、カメラ１の設定を変更するための画面を表示するためのスイッチである。
液晶モニターＬＣＤは、マイクロコンピュータによって駆動される。例えば、液晶モニターＬＣＤは、ユーザによるモード選択スイッチＳＷ３の押下げに応答して、カメラ１の設定を変更するための画面を表示する。
【００２２】
左選択スイッチＳＷ４、右選択スイッチＳＷ５、上選択スイッチＳＷ６及び下選択スイッチＳＷ７は、液晶モニターＬＣＤに表示されるカメラ１の設定項目や設定値等を選択するためのスイッチである。確定スイッチＳＷ８は、選択された設定項目や設定値等を確定するためのスイッチである。
取り消しスイッチＳＷ９は、確定スイッチＳＷ８に確定された設定項目や設定値等を、未確定の状態に戻すためのスイッチである。画像削除スイッチＳＷ１０は、ＣＣＤにより撮像された画像データを削除するためのスイッチである。スイッチＳＷ１〜１０をユーザが操作することにより、カメラ１の撮影動作及び、モード選択動作等が実現される。
【００２３】
図２は、図１に示したカメラの内部構成を示している。カメラ１は、撮影レンズ１０、ＣＣＤ１２、撮像回路１４、マイクロコンピューター１６（モード切替部、設定値変更部及び設定値復帰部）、オートフォーカスモーターＭ１、オートフォーカスモーターＭ１のドライバＤＲ１、上述したスイッチＳＷ１〜１０、電池１８、電池チェック回路２０、シャッター機構２２、シャッター機構２２のドライバＤＲ２、絞り機構２４、絞り機構２４のドライバＤＲ３、ミラー機構２６、ミラー機構２６のドライバＤＲ４、インターフェース２８、液晶モニターＬＣＤ、液晶モニターＬＣＤのドライバＤＲ５、カードコネクター３２、メモリーカード３４、画像記憶メモリー３６、ＲＯＭ３８、圧縮／伸張回路４０、メモリー４２（第１の設定値記憶部）、タイマー４４、圧電ブザー４６、圧電ブザー４６のドライバＤＲ６及び外部電源コネクター４８を有している。
【００２４】
撮影レンズ１０は、被写体に焦点を合わせるフォーカスレンズ及び被写体像をズームするためのズームレンズ等を含む複数枚のレンズにより構成される。撮影レンズ１０は、オートフォーカスモーターＭ１により調整される。オートフォーカスモーターＭ１は、ドライバＤＲ１を介して、マイクロコンピューター１６により駆動される。
ＣＣＤ１２は、図示しないＣＣＤドライバを介して、マイクロコンピューター１６により駆動される。ＣＣＤ１２は、撮影レンズ１０より結像される被写体像を光電変換する。撮像回路１４は、ＣＣＤ１２により光電変換されたアナログ量をデジタル量に変換し、変換したデジタル量をマイクロコンピューター１６に出力する。
【００２５】
マイクロコンピューター１６は、ＲＯＭ３８に格納されたプログラムを実行することによって、カメラ１の動作を制御する。例えば、マイクロコンピューター１６は、ユーザによる左選択スイッチＳＷ４等の押下げに応答して、撮影モードや動作モードの選択を行う。
電池１８は、カメラ１を駆動するための電源である。電池チェック回路２０は、電池１８の電池残量等の状態を判定する。シャッター機構２２は、撮影レンズ１０からＣＣＤ１２の光路を遮る位置に配置されるシャッター羽根（図示せず）を有している。シャッター羽根の開閉によりＣＣＤ２２の露光時間が調整される。
【００２６】
絞り機構２４は、撮影レンズ１０とシャッター機構２２の間に配置される。絞り機構２４により、撮影レンズ１０を通過した光の光量が調節される。ミラー機構２６は、ミラー（図示せず）及びサブミラー（図示せず）により構成される。
ミラーは、撮影レンズ１０を通過した光を反射させ、反射光をファインダーに入射させる。サブミラーは、ミラーを透過した光の一部を屈折させ、屈折光を焦点検出部（図示せず）に導く。インタフェース２８は、図示しない端子を介して、カメラ１をパソコン等の外部機器に接続する。画像記憶メモリー３６や、メモリー４０等に格納された各種データは、インタフェース２８を介して、パソコン等の外部機器に送信される。
【００２７】
カードコネクター３２は、メモリーカード３４をカメラ１に着脱可能に接続するためのコネクターである。メモリーカード３４は、撮像回路１４により撮像された画像データ等を格納する。画像記憶メモリー３６は、撮像回路１４により撮像された画像データを一時的に保持するための記憶媒体である。
ＲＯＭ３８は、カメラ１を動作するためにマイクロコンピューター１６により実行されるプログラムを格納している。なお、ＲＯＭ３８は、マイクロコンピューター１６に搭載される内蔵ＲＯＭ（図示せず）で代用することも可能である。圧縮／伸張回路４０は、データ転送時間やディスクスペース等を節約するために、ファイルデータを圧縮する。圧縮／伸張回路４０は、圧縮されたファイルデータを元のファイルデータに復元する。
【００２８】
メモリー４２は、カメラ１の動作に関する様々なデータを格納する。タイマー４４は、マイクロコンピューター１６により駆動され、カメラ１の動作に関する様々な時間を制御する。圧電ブザー４６は、マイクロコンピューター１６により駆動される。圧電ブザー４６は、カメラ１の異常時等に警告音を発する。外部電源コネクター４８は、カメラ１に電源を供給するために、図示しない外部電源が着脱可能に接続される。
【００２９】
図３は、カメラ１で設定可能な設定項目の一例を示している。例えば、カメラ１のメニューは、「再生メニュー」（番号１−１〜１−４）、「撮影メニュー」（番号２−１〜２−４）、「カスタムメニュー」（番号３−１〜３−８）及び「セットアップメニュー」（番号４−１〜４−４）の４つの区分に分けられる。図のように、各区分には、カメラ１の内蔵機能を設定する複数の設定項目がそれぞれ含まれている。また、各設定項目には、カメラ１の内蔵機能の設定値を表す選択肢がそれぞれ含まれている。
【００３０】
カメラ１は、動作モードとして、アドバンストモード（第１動作モード）とシンプルモード（第２動作モード）とを有している。動作モードの選択は、区分「セットアップメニュー」内の設定項目「メニュー表示」により行う。「メニュー表示」に含まれる選択肢の中から「シンプル」が選択されると、カメラ１の動作モードは、シンプルモードに設定される。シンプルモードは、カメラ１の基本的な内蔵機能を表す設定項目のみを設定可能な動作モード（初心者向け）である。シンプルモードでは、図の「シンプルで表示」欄で「○」印が付された設定項目（基本的な内蔵機能、第１グループ）だけが表示される。ユーザ（例えば、初級者）は、図の「シンプルで表示」欄で「○」印が付された設定項目のみ設定を変更できる。「シンプルで表示」欄に「○」印が付されていない設定項目（第２グループ）は、アドバンストモードのみで変更可能である。
【００３１】
一方、「メニュー表示」に含まれる選択肢の中から「アドバンスト」が選択されると、カメラ１の動作モードは、アドバンストモードに設定される。アドバンストモードは、カメラ１の全ての内蔵機能を表す設定項目が設定可能な動作モード（上級者向け）である。アドバンストモードでは、図の「アドバンストで表示」欄で「○」印が付された全ての設定項目（第１及び第２グループ）が表示される。この場合、ユーザ（例えば、上級者）は、全ての設定項目の設定を変更できる。
【００３２】
図中の「切替時デフォルト化」欄の「○」印が付された設定項目では、動作モードがアドバンストモードからシンプルモードに切り替えられた時に、「←」で示した選択肢（デフォルト値）が選択される。
「←」で示された選択肢は、最も一般的な値であるデフォルト値を意味する。「切替時デフォルト化」欄の「○」印が付された設定項目は、アドバンストモードのみで変更可能な設定項目の一部である。このように、アドバンストモードのみで変更可能な設定項目の一部に含まれる選択肢は、動作モードがアドバンストモードからシンプルモードに切り替えられた時に、デフォルト値に設定される。
【００３３】
「切替時デフォルト化」欄の「×」印が付された設定項目では、動作モードがアドバンストモードからシンプルモードに切り替えられた時に、アドバンストモードで選択された選択肢はそのまま維持される。「切替時デフォルト化」欄の「−」印が付された設定項目では、動作モードを問わず設定が変更可能であり、動作モードがアドバンストモードからシンプルモードに切り替えられた時に、選択肢は、変更されずに維持される。
【００３４】
例えば、動作モードをアドバンストモードからシンプルモードに切り替えて、ユーザ（例えば、初級者）がカメラ１を使用する場合、図の番号３−５の設定項目「オートブラケティング」及び番号３−７の設定項目「セルフタイマー時間」では、デフォルト値がそれぞれ設定される。「オートブラケティング」の「する」は、適正露出の値及び、適正露出の値を基準に±１／３ＥＶ補正された値の合計３コマでの撮影を可能にする。「セルフタイマー時間」の「２秒」は、例えば、振動を嫌う接写撮影で、シャッターボタンの押し下げによる振動の影響を除くために使用される。これらの項目では、デフォルト値以外の設定状態で初級者がカメラ１を使用した場合、初級者が戸惑うことが予想される。よって、動作モードがシンプルモードに切り替えられると、いずれの項目もデフォルト値に設定される。これらの項目に対して、番号３−４の設定項目「露出補正」の「１／３ＥＶ」は、適正露出の値がステップ幅１／３ＥＶ単位で補正される。「露出補正」の「１／２ＥＶ」は、適正露出の値がステップ幅１／２ＥＶ単位で補正される。この項目では、「露出補正」がいずれの値に設定されても、初級者が戸惑うことは予想されない。よって、アドバンストモードで選択された選択肢は、デフォルト値に設定されずに、そのまま維持される。
【００３５】
図中の「切替時に元の選択肢に復帰」欄の「○」印が付された設定項目では、アドバンストモードで選択された選択肢は保存される。動作モードがアドバンストモードからシンプルモードに切り替えられた時に、アドバンストモードで選択された選択肢は、一時的にデフォルト値に設定される。動作モードがアドバンストモードに再度切り替えられた時に、デフォルト値に設定された選択肢は、保存された選択肢（元の選択肢）に復帰される。
【００３６】
「切替時に元の選択肢に復帰」欄の「−」印が付された設定項目では、アドバンストモードで選択された選択肢は保存されない。したがって、動作モードがアドバンストモードに再度切り替えられた時に、選択肢は、元の選択肢に復帰されず、シンプルモードでの設定値を保持する。
「切替時に元の選択肢に復帰」欄の「○」印が付された設定項目は、「切替時デフォルト化」欄の「○」印が付された設定項目（アドバンストモードのみで変更可能な設定項目の一部）と同じである。アドバンストモードのみで変更可能な設定項目の一部に含まれる選択肢は、動作モードがシンプルモードからアドバンストモードに再度切り替えられた時に、元の選択肢に復帰される。
【００３７】
例えば、ユーザにより図の番号３−５の設定項目「オートブラケティング」の選択肢「する」が選択されたとする。この選択肢「する」は、保存される。この後、動作モードがアドバンストモードからシンプルモードに切り替えられた時に、選択肢「する」は、デフォルト値である選択肢「しない」に設定される。動作モードがアドバンストモードに再度切り替えられた時に、選択肢「しない」は、保存された元の選択肢「する」に復帰される。
【００３８】
図４は、シンプルモード及びアドバンストモードにおいて、液晶モニターＬＣＤに表示されるメニュー画面を示している。シンプルモードの表示画面（図の「シンプル」での表示）において、再生メニュー及びカスタムメニューでは、カメラ１の基本的な内蔵機能を表す設定項目（第１グループ）のみが表示される。
一方、アドバンストモードの表示画面（図の「アドバンスト」での表示）では、全ての内蔵機能を表す設定項目（第１及び２グループ）が表示される。したがって、ユーザ（例えば、初級者）は、「シンプルモード」の表示画面が表示された時に、基本的な内蔵機能を表す設定項目だけを認識でき、それ以外の内蔵機能を表す設定項目（第２グループ）を目にすることはない。このため、ユーザは、カメラ１に対して、設定及び操作が難しいと言う印象を抱くことはない。
【００３９】
図５は、選択肢の設定方法の詳細を示す図である。ユーザにより、モード選択スイッチＳＷ３が押下げられると、左に並んだ４つのタブの中の再生メニューが選択された状態が表示される（図５（ａ））。ユーザは、この状態の時に上選択スイッチＳＷ６及び下選択スイッチＳＷ７を押下げて、４つのメニューから操作したいメニューを選択する。下選択スイッチＳＷ７が押下げられると、撮影メニューの項目が表示される（図５（ｂ））。ここで、ユーザが右選択スイッチＳＷ５を押下げると、図に網掛けで示すカーソルが最初の項目「画質モード」に移動する（図５（ｃ））。
【００４０】
この状態で、右選択スイッチＳＷ５が押下げられると、「画質モード」を設定するための画面に切り替わる（図５（ｄ））。ここでは、現在選択されている選択肢が枠付きで表示され（図の「ＪＰＥＧ ＮＯＲＭＡＬ」）、カーソルは最初の項目（「ＲＡＷ」）を示す。ユーザは、上選択スイッチＳＷ６及び下選択スイッチＳＷ７を押下げて選択肢を選択する。選択された選択肢は、ユーザによる右選択スイッチＳＷ５の押下げにより、決定される。その後、画面は図５（ｃ）の状態に復帰する。
【００４１】
図６は、本発明のカメラの第１の実施形態における動作を示している。図６に示す動作は、マイクロコンピューター１６がＲＯＭ３８のプログラムを実行することによって実現される。
まず、ステップＳ１００において、マイクロコンピューター１６は、上級者によるモード選択スイッチＳＷ３の押下げを検出すると、液晶モニター５を駆動し、セットアップメニュー（図３の番号４−４参照）のメニュー表示を設定変更するための画面を表示させる。この後、処理はステップＳ１０２に移行する。
【００４２】
ステップＳ１０２において、マイクロコンピューター１６は、上級者により、メニュー表示としてアドバンストモードが選択されたか否かを検出する。アドバンストモードの選択が検出された場合、処理はステップＳ１０４に移行する。アドバンストモードの選択が検出されない場合（シンプルモードが選択された場合）、処理はステップＳ１１２に移行する。
【００４３】
ステップＳ１０４において、マイクロコンピューター１６は、上級者によるモード選択スイッチＳＷ３の押下げを検出すると、液晶モニター５を駆動し、カメラ１の全ての内蔵機能を表す設定項目（第１グループＧｒ１及び第２グループＧｒ２）に含まれる選択肢（設定値）を変更するための画面を表示させる。この後、処理はステップＳ１０６に移行する。
【００４４】
ステップＳ１０６において、マイクロコンピューター１６は、上級者による第１グループＧｒ１及び第２グループＧｒ２に含まれる選択肢の設定終了を検出すると、処理はステップＳ１０８に移行する。
ステップＳ１０８において、マイクロコンピューター１６は、アドバンストモードのみで変更可能な設定項目（第２グループＧｒ２）の一部で設定された選択肢を、動作モードが再度アドバンストモードに切り替えられた時に復帰させるために、第２グループＧｒ２の一部で設定された選択肢を含む複数の選択肢をメモリー４２に保存する。その後、処理はステップＳ１１０に移行する。
【００４５】
ステップＳ１１０において、マイクロコンピューター１６は、初級者によるモード選択スイッチＳＷ３の押下げを検出すると、液晶モニター５を駆動し、セットアップメニューのメニュー表示を設定変更するための画面を表示させる。この後、処理はステップＳ１１２に移行する。
ステップＳ１１２において、マイクロコンピューター１６は、初級者により、メニュー表示としてシンプルモードが選択されたか否かを検出する。シンプルモードの選択が検出された場合、処理はステップＳ１１４に移行する。シンプルモードの選択が検出されない場合（上級者が、アドバンストモードで再設定する場合）、処理はステップＳ１０４に移行する。
【００４６】
ステップＳ１１４において、マイクロコンピューター１６は、初級者にとって馴染みのない、第２グループＧｒ２の一部で設定された選択肢をデフォルト値に復帰させる。この後、処理はステップＳ１１６に移行する。
ステップＳ１１６において、マイクロコンピューター１６は、初級者によるモード選択スイッチＳＷ３の押下げを検出すると、液晶モニター５を駆動し、第１グループＧｒ１に含まれる選択肢を変更するための画面を表示させる。この後、処理はステップＳ１１８に移行する。
【００４７】
ステップＳ１１８において、マイクロコンピューター１６は、初級者による第１グループＧｒ１の選択肢の設定終了を検出すると、処理はステップＳ１２０に移行する。
ステップＳ１２０において、マイクロコンピューター１６は、上級者によるモード選択スイッチＳＷ３の押下げを検出すると、液晶モニター５を駆動し、セットアップメニューのメニュー表示を設定変更するための画面を表示させる。この後、処理はステップＳ１２２に移行する。
【００４８】
ステップＳ１２２において、マイクロコンピューター１６は、上級者により、メニュー表示としてアドバンストモードが選択されたか否かを検出する。アドバンストモードの選択が検出された場合、処理はステップＳ１２４に移行する。アドバンストモードの選択が検出されない場合（初級者が、シンプルモードで再設定する場合）、処理はステップＳ１１６に移行する。
【００４９】
ステップＳ１２４において、マイクロコンピューター１６は、第２グループＧｒ２の一部に含まれる選択肢を、メモリー４２に保存された選択肢に復帰させる。そして、カメラの第１の実施形態における動作は終了する。
以上、本実施形態では、初級者が、シンプルモードでカメラ１を使用する場合、初級者にとって馴染みのない、第２グループＧｒ２の一部において変更された選択肢を、最も一般的な値であるデフォルト値に復帰させる。このため、初級者は無理なくカメラ１を使用できる。よって、初級者にとって使いやすいカメラが実現される。
【００５０】
動作モードがアドバンストモードからシンプルモードに切り替えられた後、再度アドバンストモードが選択された時に、第２グループＧｒ２の一部に含まれる選択肢は、メモリー４２に保存された選択肢に復帰される。この結果、再度アドバンストモードでカメラ１を使用する上級者は、第２グループＧｒ２の設定値の一部を再設定する必要がない。このため、上級者は、動作モードを切り替えた後、すぐに元の撮影条件で被写体を撮影できる。
【００５１】
図７及び８は、本発明のカメラの第２の実施形態における動作を示している。カメラの第１の実施形態で説明した要素と同一の要素については、詳細な説明を省略する。この実施形態では、図２に示したマイクロコンピューター１６が実行するためのＲＯＭ３８に格納されているプログラムが、カメラの第１の実施形態と相違する。その他の構成はカメラの第１の実施形態の図１及び図２と同じである。上述した図６と同じ処理については、詳細な説明を省略する。また、図７及び８に示す動作は、マイクロコンピューター１６（モード切替部、設定値変更部、設定値復帰部及び復帰条件選択部）がＲＯＭ３８のプログラムを実行することによって実現される。
【００５２】
ステップＳ２００、Ｓ２０２、Ｓ２０４、Ｓ２０６、Ｓ２１０、Ｓ２１２、Ｓ２１８、Ｓ２２０、Ｓ２２２、Ｓ２２４、Ｓ２２６及びＳ２２８は、図６のステップＳ１００、Ｓ１０２、Ｓ１０４、Ｓ１０６、Ｓ１１０、Ｓ１１２、Ｓ１１４、Ｓ１１６、Ｓ１１８、Ｓ１２０、Ｓ１２２及びＳ１２４と同じである。ステップＳ２００〜Ｓ２０６が実行された後、処理はＳ２０８に移行する。
【００５３】
ステップＳ２０８において、マイクロコンピューター１６は、第２グループＧｒ２の全てで設定された選択肢を、動作モードが再度アドバンストモードに切り替えられた時に復帰させるために、第２グループＧｒ２の全てで設定された選択肢をメモリー４２（第２の設定値記憶部）に保存する。その後、ステップＳ２１０及び２１２が実行された後、処理はステップＳ２１４に移行する。
【００５４】
ステップＳ２１４において、マイクロコンピューター１６は初級者によるモード選択スイッチＳＷ３の押下げを検出して、「第２グループＧｒ２の一部で設定された選択肢をデフォルト値に復帰」させるか、「第２グループＧｒ２の全てで設定された選択肢をデフォルト値に復帰」させるかを選択するための復帰条件選択画面を液晶モニター５に表示させる。この後、処理は図８に示すステップＳ２１６に移行する。
【００５５】
ステップＳ２１６において、マイクロコンピューター１６は、「第２グループＧｒ２の一部で設定された選択肢をデフォルト値に復帰」の選択を検出すると、処理はステップＳ２１８に移行する。「第２グループＧｒ２の全てで設定された選択肢をデフォルト値に復帰」の選択を検出すると、処理はステップＳ２３０に移行する。
ステップＳ２１８〜Ｓ２２８が実行された後、カメラの第２の実施形態における動作は終了する。一方、ステップＳ２３０において、マイクロコンピューター１６は、第２グループＧｒ２の全てで設定された選択肢をデフォルト値に復帰させる。この後、処理はステップＳ２３２に移行する。
【００５６】
ステップＳ２３２において、マイクロコンピューター１６は、初級者によるモード選択スイッチＳＷ３の押下げを検出すると、液晶モニター５を駆動し、第１グループＧｒ１に含まれる選択肢を変更するための画面を表示させる。この後、処理はステップＳ２３４に移行する。
ステップＳ２３４において、マイクロコンピューター１６は、初級者による第１グループＧｒ１の選択肢の設定終了を検出すると、処理はステップＳ２３６に移行する。
【００５７】
ステップＳ２３６において、マイクロコンピューター１６は、上級者によるモード選択スイッチＳＷ３の押下げを検出すると、液晶モニター５を駆動し、セットアップメニューのメニュー表示を設定変更するための画面を表示させる。この後、処理はステップＳ２３８に移行する。
ステップＳ２３８において、マイクロコンピューター１６は、上級者により、メニュー表示としてアドバンストモードが選択されたか否かを検出する。アドバンストモードの選択が検出された場合、処理はステップＳ２４０に移行する。アドバンストモードの選択が検出されない場合（初級者が、シンプルモードで再設定する場合）、処理はステップＳ２３２に移行する。
【００５８】
ステップＳ２４０において、マイクロコンピューター１６は、第２グループＧｒ２全てに含まれる選択肢を、メモリー４２に保存された選択肢に復帰させる。そして、カメラの第２の実施形態における動作は終了する。
以上、本実施形態では、動作モードがアドバンストモードからシンプルモードに切り替えられた時に、初級者により「第２グループＧｒ２の一部で設定された選択肢をデフォルト値に復帰」させるか、「第２グループＧｒ２で変更可能な全ての選択肢をデフォルト値に復帰」させるか選択される。このため、カメラ１をシンプルモードで使用する初級者に合わせて、選択肢の復帰条件を選択できる。よって、初級者の趣向に合った、使い勝手の良いカメラが実現される。
【００５９】
動作モードがアドバンストモードからシンプルモードに切り替えられた後、再度アドバンストモードが選択された時に、第２グループＧｒ２の一部に含まれる選択肢、あるいは、第２グループＧｒ２で変更可能な全ての選択肢は、メモリー４２に保存された選択肢に復帰される。この結果、再度アドバンストモードでカメラ１を使用する上級者は、第２グループＧｒ２の設定値の一部を再設定する必要がない。このため、上級者は、動作モードを切り替えた後、すぐに元の撮影条件で被写体を撮影できる。
【００６０】
図９及び１０は、本発明のカメラの第３の実施形態における動作を示している。カメラの第２の実施形態で説明した要素と同一の要素については、詳細な説明を省略する。この実施形態では、図２に示したマイクロコンピューター１６が実行するためのＲＯＭ３８に格納されているプログラムが、カメラの第２の実施形態と相違する。その他の構成はカメラの第１及び第２の実施形態と同じである。上述した図６〜８と同じ処理については、詳細な説明を省略する。また、図９及び１０に示す動作は、マイクロコンピューター１６（モード切替部、設定値変更部、設定値復帰部及び復帰条件選択部）がＲＯＭ３８のプログラムを実行することによって実現される。
【００６１】
ステップＳ３００、Ｓ３０２、Ｓ３０４、Ｓ３０６、Ｓ３１０、Ｓ３１２、Ｓ３１８、Ｓ３２０、Ｓ３２２、Ｓ３２４、Ｓ３２６、Ｓ３２８、Ｓ３３０、Ｓ３３２、Ｓ３３４、Ｓ３３６、Ｓ３３８、Ｓ３４０は、図７及び８のステップＳ２００、Ｓ２０２、Ｓ２０４、Ｓ２０６、Ｓ２１０、Ｓ２１２、Ｓ２１８、Ｓ２２０、Ｓ２２２、Ｓ２２４、Ｓ２２６、Ｓ２２８、Ｓ２３０、Ｓ２３２、Ｓ２３４、Ｓ２３６、Ｓ２３８及びＳ２４０と同じである。ステップＳ３００〜Ｓ３０６が実行された後、処理はステップＳ３０８に移行する。
【００６２】
ステップＳ３０８において、マイクロコンピューター１６は、第１グループＧｒ１及び第２グループで設定された選択肢をメモリー４２（第３の設定値記憶部）に保存する。その後、処理はステップＳ３１０及びＳ３１２が実行された後、ステップＳ３１４に移行する。
ステップＳ３１４において、マイクロコンピューター１６は、初級者によるモード選択スイッチＳＷ３の押下げを検出して、「第２グループＧｒ２の一部で設定された選択肢をデフォルト値に復帰」させるか、「第２グループＧｒ２の全てで設定された選択肢をデフォルト値に復帰」させるか、あるいは、「第１グループＧｒ１及び第２グループＧｒ２で設定された選択肢をデフォルト値に復帰」させるかを選択するための復帰条件選択画面を液晶モニター５に表示させる。この後、処理は図１０に示すステップＳ３１６に移行する。
【００６３】
ステップＳ３１６において、マイクロコンピューター１６は、「第２グループＧｒ２の一部で設定された選択肢をデフォルト値に復帰」の選択を検出すると、処理はステップＳ３１８に移行する。「第２グループＧｒ２の全てで設定された選択肢をデフォルト値に復帰」の選択を検出すると、処理はステップＳ３３０に移行する。「第１グループＧｒ１及び第２グループＧｒ２で設定された選択肢をデフォルト値に復帰」の選択を検出すると、処理はステップＳ３４２に移行する。
【００６４】
ステップＳ３１８〜Ｓ３２８が実行された後、カメラの第３の実施形態における動作は終了する。一方、ステップＳ３３０〜Ｓ３４０が実行された後、カメラの第３の実施形態における動作は終了する。
ステップＳ３４２において、マイクロコンピューター１６は、第１グループＧｒ１及び第２グループＧｒ２で設定された選択肢をデフォルト値に復帰させる。この後、処理はステップＳ３４４に移行する。
【００６５】
ステップＳ３４４において、マイクロコンピューター１６は、初級者よるモード選択スイッチＳＷ３の押下げを検出すると、液晶モニター５を駆動し、第１グループＧｒ１に含まれる選択肢を変更するための画面を表示させる。この後、処理はステップＳ３４６に移行する。
ステップＳ３４６において、マイクロコンピューター１６は、初級者による第１グループＧｒ１に含まれる選択肢の設定終了を検出すると、処理はステップＳ３４８に移行する。
【００６６】
ステップＳ３４８において、マイクロコンピューター１６は、上級者によるモード選択スイッチＳＷ３の押下げを検出すると、液晶モニター５を駆動し、セットアップメニューのメニュー表示を設定変更するための画面を表示させる。この後、処理はステップＳ３５０に移行する。
ステップＳ３５０において、マイクロコンピューター１６は、上級者により、メニュー表示としてアドバンストモードが選択されたか否かを検出する。アドバンストモードの選択が検出された場合、処理はステップＳ３５２に移行する。アドバンストモードの選択が検出されない場合（初級者が、シンプルモードで再設定する場合）、処理はステップＳ３４４に移行する。
【００６７】
ステップＳ３５２において、マイクロコンピューター１６は、第１グループ及び第２グループに含まれる選択肢を、メモリー４２に保存された選択肢に復帰させる。そして、カメラの第３の実施形態における動作は終了する。
以上、本実施形態では、第１及び第２の実施形態と同様な効果を得ることができる。本実施形態では、更に、動作モードがアドバンストモードからシンプルモードに切り替えられた時に、初級者により「第２グループＧｒ２の一部で設定された選択肢をデフォルト値に復帰」するか、「第２グループＧｒ２全てで設定された選択肢をデフォルト値に復帰」するか、あるいは、「第１グループＧｒ１及び第２グループＧｒ２で設定された選択肢をデフォルト値に復帰」するかが選択される。よって、マイクロコンピューター１６により選択される選択肢を更に増やすことで、初級者の様々な要求に応えるカメラ１が実現される。
【００６８】
図１１は、本発明のカメラの第４の実施形態における動作を示している。カメラの第１の実施形態で説明した要素と同一の要素については、詳細な説明を省略する。この実施形態では、図２に示したマイクロコンピューター１６が実行するためのＲＯＭ３８に格納されているプログラムが、カメラの第１の実施形態と相違する。その他の構成はカメラの第１の実施形態の図１及び図２と同じである。上述した図６と同じ処理については、詳細な説明を省略する。また、図１１に示す動作は、マイクロコンピューター１６（モード切替部、設定値変更部、設定値復帰部及び復帰条件選択部）がＲＯＭ３８のプログラムを実行することによって実現される。
【００６９】
ステップＳ４００、Ｓ４０２、Ｓ４０４、Ｓ４０６、Ｓ４０８及びＳ４１０は、図６のステップＳ１００、Ｓ１０２、Ｓ１０４、Ｓ１０６、Ｓ１１０及びＳ１１２と同じである。ステップＳ４００〜Ｓ４１０が実行された後、処理はステップＳ４１２に移行する。
ステップＳ４１２において、マイクロコンピューター１６は、初級者によるモード選択スイッチＳＷ３の押下げを検出して、「第２グループＧｒ２の一部で設定された選択肢をデフォルト値に復帰」させるか、「第２グループＧｒ２の全てで設定された選択肢をデフォルト値に復帰」させるか、「第２グループＧｒ２の全てで設定された選択肢を保持」させるか、あるいは、「第１グループＧｒ１及び第２グループＧｒ２で設定された選択肢を保持」させるかを選択するための復帰条件選択画面を液晶モニター５に表示させる。この後、処理はステップＳ４１４に移行する。
【００７０】
ステップＳ４１４において、マイクロコンピューター１６は、初級者による「第２グループＧｒ２の一部で設定された選択肢をデフォルト値に復帰」の選択を検出すると、処理はステップＳ４１６に移行する。初級者による「第２グループＧｒ２の全てで設定された選択肢をデフォルト値に復帰」の選択を検出すると、処理はステップＳ４１８に移行する。初級者による「第２グループＧｒ２の全てで設定された選択肢を保持」の選択を検出すると、処理はステップＳ４２０に移行する。初級者による「第１グループＧｒ１及び第２グループＧｒ２で設定された選択肢を保持」の選択を検出すると、処理はステップＳ４２２に移行する。
【００７１】
ステップＳ４１６において、マイクロコンピューター１６は、第２グループＧｒ２の一部で設定された選択肢をデフォルト値に復帰させる。そして、カメラの第４の実施形態における動作は終了する。
一方、ステップＳ４１８において、マイクロコンピューター１６は、第２グループＧｒ２全てで設定された選択肢をデフォルト値に復帰させる。そして、カメラの第４の実施形態における動作は終了する。
【００７２】
一方、ステップＳ４２０において、マイクロコンピューター１６は、第２グループＧｒ２の全てで設定された選択肢をデフォルト値に復帰させることなく、保持させる。そして、カメラの第４の実施形態における動作は終了する。
一方、ステップＳ４２２において、マイクロコンピューター１６は、第１グループＧｒ１及び第２グループＧｒ２で設定された選択肢をデフォルト値に復帰させることなく、保持させる。そして、カメラの第４の実施形態における動作は終了する。
【００７３】
以上、本実施形態では、マイクロコンピューター１６は、動作モードがアドバンストモードからシンプルモードに切り替えられた時に、「第２グループＧｒ２の一部で設定された選択肢をデフォルト値に復帰」するか、「第２グループＧｒ２全てで設定された選択肢をデフォルト値に復帰」するか、「第２グループＧｒ２全てで設定された選択肢を保持」するか、あるいは、「第１グループＧｒ１及び第２グループＧｒ２で設定された選択肢を保持」するかを、初級者の操作に応じて選択する。この結果、初級者に合わせて、選択肢の復帰条件を選択できる。よって、初級者の趣向に合った、使い勝手の良いカメラ１が実現される。
【００７４】
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００７５】
本発明は、上級者向け及び初級者向けに、機能の設定が設定可能なカメラに適用される。
【図面の簡単な説明】
【００７６】
【図１】本発明のカメラの第１の実施形態を示している。
【図２】図１に示したカメラの内部構成を示している。
【図３】カメラ１で設定可能な設定項目の一例を示している。
【図４】シンプルモード及びアドバンストモードにおいて、液晶モニターＬＣＤに表示されるメニュー画面を示している。
【図５】選択肢の設定方法の詳細を示している。
【図６】本発明のカメラの第１の実施形態における動作を示している。
【図７】本発明のカメラの第２の実施形態における動作を示している。
【図８】本発明のカメラの第２の実施形態における動作を示している。
【図９】本発明のカメラの第３の実施形態における動作を示している。
【図１０】本発明のカメラの第３の実施形態における動作を示している
【図１１】本発明のカメラの第４の実施形態における動作を示している
【符号の説明】
【００７７】
１  カメラ
１０  撮影レンズ
１２  ＣＣＤ
１４  撮像回路
１６  マイクロコンピューター
１８  電池
２０  電池チェック回路
２２  シャッター機構
２４  絞り機構
２６  ミラー機構
２８  インターフェース
３２  カードコネクター
３４  メモリーカード
３６  画像記憶メモリー
３８  ＲＯＭ
４０  圧縮／伸張回路
４２  メモリー
４４  タイマー
４６  圧電ブザー
４８  外部電源コネクター
ＤＲ１  オートフォーカスモータードライバ
ＤＲ２  シャッター機構ドライバ
ＤＲ３  絞り機構ドライバ
ＤＲ４  ミラー機構ドライバ
ＤＲ５  液晶モニタードライバ
ＤＲ６  圧電ブザードライバ
ＬＣＤ  液晶モニター
Ｍ１  オートフォーカスモーター
ＳＷ１  主電源スイッチ
ＳＷ２  シャッタースイッチ
ＳＷ３  モード選択スイッチ
ＳＷ４  左選択スイッチ
ＳＷ５  右選択スイッチ
ＳＷ６  上選択スイッチ
ＳＷ７  下選択スイッチ
ＳＷ８  確定スイッチ
ＳＷ９  取り消しスイッチ
ＳＷ１０  画像削除スイッチ
【図１】
2006171107.tif 000003
【図２】
2006171107.tif 000004
【図３】
2006171107.tif 000005
【図４】
2006171107.tif 000006
【図５】
2006171107.tif 000007
【図６】
2006171107.tif 000008
【図７】
2006171107.tif 000009
【図８】
2006171107.tif 000010
【図９】
2006171107.tif 000011
【図１０】
2006171107.tif 000012
【図１１】
2006171107.tif 000013